(57)【要約】【課題】  施術時に被施術部での導子によるザラザラ感等が無い上に、ハンドマッサージ感覚で心地よく施術を受けることができる等のイオン導入が可能な電子式美容装置を提供する。【解決手段】  それぞれ導体で出来ており、それぞれ左右のハンドマッサージ用の指(即ち施術者の指)に嵌着される第１嵌着部材１ａ等及び第２嵌着部材２ａ等と、これら第１嵌着部材１ａ等と第２嵌着部材２ａ等との間に施術用の電圧を印加する施術用電圧供給部５とを備える構成にした。【選択図】        図１
0003131119.tif 000002
【実用新案登録請求の範囲】
【請求項１】
それぞれ導体で出来ており、施術者の一方の手のＭ（ここでＭは１以上で５以下の整数）本の指がそれぞれ挿入されてその指に嵌着されるＭ個の第１嵌着部材と、
それぞれ導体で出来ており、上記施術者の他方の手のＮ（ここでＮは１以上で５以下の整数）本の指がそれぞれ挿入されてその指に嵌着されるＮ個の第２嵌着部材と、
電源が与えられ、上記Ｍ個の第１嵌着部材と上記Ｎ個の第２嵌着部材との間に施術用の電圧を印加する施術用電圧供給部と、
を備えることを特徴とする電子式美容装置。
【請求項２】
上記第１嵌着部材および上記第２嵌着部材は、金属製のリングからなり、且つ該リングのサイズが概ね大人の手の指の第１から第２関節の間の太さになっていることを特徴とする請求項１記載の電子式美容装置。
【請求項３】
上記リングには、リング材の弾性を利用して施術者の指の太さに応じたサイズ調整が出来るように、一部に一定幅の間隙が形成されていることを特徴とする請求項２記載の電子式美容装置。
【請求項４】
上記第１嵌着部材および上記第２嵌着部材は、金属製で略円筒形をしており、且つその軸方向の長さが概ね大人の手の指の第１から第２関節の間の長さになっており、その内径が概ね大人の手の指の第１から第２関節の間の太さになっていることを特徴とする請求項１記載の電子式美容装置。
【請求項５】
上記の略円筒形をした第１嵌着部材および上記第２嵌着部材には、当該嵌着部材の弾性を利用して施術者の指の太さに応じたサイズ調整が出来るように、該円筒形の側面に軸方向に沿った一定幅の間隙が形成されていることを特徴とする請求項４記載の電子式美容装置。
【請求項６】
それぞれ導体で出来ており、施術者の一方の手のＭ（ここでＭは１以上で５以下の整数）本の指がそれぞれ挿入されてその指に嵌着されるＭ個の第１嵌着部材と、
被施術者の顔以外の部位に接触する導体製の非施術用電極部材と、
電源が与えられ、上記Ｍ個の第嵌着部材と上記非施術用電極部材との間に施術用の電圧を印加する施術用電圧供給部と、
を備えることを特徴とする電子式美容装置。
【考案の詳細な説明】
【技術分野】
【０００１】
本考案は、エステサロン等において、客である被施術者の顔の肌などの美肌化のために行われる美肌トリートメント（例えばイオン導入等）の新たな施術方法の実施に際し、施術者により利用される電子式美容装置に関する。
【背景技術】
【０００２】
従来、エステサロン等においては、顔のシミの除去、肌荒れの改善等を目的とする美肌トリートメントの一つとして、イオン化された水溶性の有効成分を肌すなわち皮膚内に電気的に導入するイオン導入法による美容方法が利用されてきた。このイオン導入法では、１〜３ミリアンペア程度の微弱電流を皮膚内に通電して、皮膚の帯電バランスを崩すことにより、イオン化された水溶性の有効成分（すなわち美肌用の化粧水や薬液）を皮下組織に浸透させる。
上記のようなイオン導入法による美容方法の施術に際しては、従来、図３の（ａ）〜（ｄ）に示すようなイオン導入器を利用して行われてきた。
【０００３】
上記図３（ａ）に示すものは、導子として金属製のローラ導子１０を用いたもので、このローラ導子１０は、３箇所で直角に屈曲されて図示のように成形されている金属製の棒材１１の先端部１１ａに回動自在に軸支されており、またローラ導子１０と棒材１１との間は電気的に導通状態になっている。このイオン導入器では、施術者が樹脂等の不導体で出来ている杷持部１２を握り、ローラ導子１０を被施術者の顔の皮膚上等の被施術部上で転がす。また上記棒材１１は、把持部１２内部でケーブル１３に電気的に接続しているのでローラ導子１０、棒材１１、ケーブル１３は電気的に導通状態になっている。そして被施術者により手に握られている導体製の非施術用電極部材１５に接続されているケーブル１６と上記ケーブル１３との間に、施術用の電圧が施術用電圧供給部（図示せず）により印加される。これにより上記施術用電圧供給部、ケーブル１３、棒材１１、ローラ導子１０、被施術者の顔の皮膚、被施術者の体、被施術者の手、非施術用電極部材１５、ケーブル１６、施術用電圧供給部という電気回路が出来て、前記微弱電流が、ローラ導子１０から被施術者の顔の皮膚内に流れることになる。
【０００４】
上記図３（ｂ）に示すものは、導子として金属製のピンセット導子２０を用いたもので、施術は、このピンセット導子２０の先端に美肌用の化粧水等が含浸されているコットン或いはガーゼを挟んで行われる（なお、上記３（ａ）に示すものにおける非施術用電極部材１５、ケーブル１６等に相当するものの図示は省略している）。
上記図３（ｃ）に示すものは、導電製の球状体乃至これを若干上下方向に潰して扁平にした導子３０を用いたもので、施術は、この導子３０の下端部で行われる（なお、上記３（ａ）に示すものにおける非施術用電極部材１５、ケーブル１６等に相当するものの図示は省略している）。
上記図３（ｄ）に示すものでは、導子は、導電性のシート材で出来ている手袋４０ａ又は４０ｂになっている。施術は、この手袋４０ａ及び４０ｂを施術者が両手にはめて、被施術者の顔の皮膚をマッサージする要領で行う。（なお、上記３（ａ）に示すものにおける非施術用電極部材１５に相当するものは、手袋４０ａが導子の役目を担っているときは、手袋４０ｂであり、逆に手袋４０ｂが導子の役目を担っているときは、手袋４０ａである）。
【０００５】
なお、上記のようなイオン導入器は、一般に、上記施術用電圧供給部からの上記印加電圧の極性或いは波形を切り替える事により、イオン導入だけではなくクレンジング、マッサージ等の美肌トリートメントをも行えるようになっている。
【特許文献１】特開２００４−２０２０２２号公報
【考案の開示】
【考案が解決しようとする課題】
【０００６】
従来の施術で利用される上記のようなイオン導入器では、皮膚に直接接触する導子先端部がコットン、金属等であるため、被施術部にザラザラ感や金属特有の異物感が有り、また導子先端部の形状によっては、鼻のわきや瞼の上のように凹凸が複雑で且つ狭い部位の施術を十分には出来なかった。
本願考案は、上記のような事情に鑑みてなされたものであり、被施術部にザラザラ感や金属特有の異物感が無く、鼻のわきや瞼の上のように凹凸が複雑で且つ狭い部位の施術を十分に行えるイオン導入等の実施を可能にする電子式美容装置の提供を目的としている。
【課題を解決するための手段】
【０００７】
請求項１の考案では、電子式美容装置を以下のように構成した。すなわち、  それぞれ導体で出来ており、施術者の一方の手のＭ（ここでＭは１以上で５以下の整数）本の指がそれぞれ挿入されてその指に嵌着されるＭ個の第１嵌着部材と、
それぞれ導体で出来ており、上記施術者の他方の手のＮ（ここでＮは１以上で５以下の整数）本の指がそれぞれ挿入されてその指に嵌着されるＮ個の第２嵌着部材と、
電源が与えられ、上記Ｍ個の第１嵌着部材と上記Ｎ個の第２嵌着部材との間に施術用の電圧を印加する施術用電圧供給部と、
を備えるように構成した。
【０００８】
請求項２の考案では、請求項１記載の電子式美容装置の第１嵌着部材および第２嵌着部材を、金属製のリングからなり且つ該リングのサイズが概ね大人の手の指の第１から第２関節の間の太さになっているものにした。
【０００９】
請求項３の考案では、請求項２記載のリングを、リング材の弾性を利用して施術者の指の太さに応じたサイズ調整が出来るように、一部に一定幅の間隙を形成したものにした。
【００１０】
請求項４の考案では、請求項１記載の第１嵌着部材および第２嵌着部材を、金属製で略円筒形をしており、且つその軸方向の長さが概ね大人の手の指の第１から第２関節の間の長さになっており、その内径が概ね大人の手の指の第１から第２関節の間の太さになっているものにした。
【００１１】
請求項５の考案では、請求項４記載の略円筒形をした第１嵌着部材および第２嵌着部材に、当該嵌着部材の弾性を利用して施術者の指の太さに応じたサイズ調整が出来るように、該円筒形の側面に軸方向に沿った一定幅の間隙を形成した。
【００１２】
請求項６の考案では、電子式美容装置を以下のように構成した。すなわち、それぞれ導体で出来ており、施術者の一方の手のＭ（ここでＭは１以上で５以下の整数）本の指がそれぞれ挿入されてその指に嵌着されるＭ個の第１嵌着部材と、
被施術者の顔以外の部位に接触する導体製の非施術用電極部材と、
電源が与えられ、上記Ｍ個の第１嵌着部材と上記非施術用電極部材との間に施術用の電圧を印加する施術用電圧供給部と、
を備えるように構成した。
【考案の効果】
【００１３】
以上詳述したように、本願考案によると、施術時に被施術部での導子によるザラザラ感や金属特有の異物感が無い上に、ハンドマッサージ感覚で心地よく施術を受けることができ、更に鼻のわきや瞼の上のように凹凸が複雑で且つ狭い部位の施術でも十分にイオン導入等の実施を可能とする電子式美容装置の提供が可能になる。
【考案を実施するための最良の形態】
【００１４】
以下、図面に基づいて本考案を実施するための最良の実施の形態を説明する。図１（ａ）は、本実施の形態の構成を示すものであり、同図において３個の第１嵌着部材１ａ、１ｂ、１ｃは、何れもステンレス製で後述のように同一形状をしており、施術に際して施術者の一方の手の３本の指にそれぞれ嵌められるものである。また、第２嵌着部材２ａ、２ｂ、２ｃも上記第１嵌着部材１ａ等と同一材質で同一形状をしており、施術に際して施術者の他方の手の３本の指にそれぞれ嵌められるものである。
ケーブル６を介して電源を得ている施術用電圧供給部５は、その操作ボタン（図示せず）の操作により指定された施術用の電圧の出力をその出力用接続端７、８間に送出する電気回路部である。また、第１嵌着部材１ａ、１ｂ、１ｃはそれぞれが接続されている電線からなるケーブル３により出力用接続端７に接続されており、第２嵌着部材２ａ、２ｂ、２ｃはそれぞれが接続されている電線からなるケーブル４により出力用接続端８に接続されている。
【００１５】
図１（ｂ）は、第１嵌着部材１ａ、１ｂ、１ｃの形状を説明するためのものである。前述の様に、これらは何れもステンレス製で同一形状になっており、その形状は略円筒形で、且つその軸方向の長さが概ね大人の手の指の第１から第２関節の間の長さになっており、また、その内径は概ね大人の手の指の第１から第２関節の間の太さになっている。そして、これら第１嵌着部材には、この嵌着部材の弾性を利用して施術者の指の太さに応じたサイズ(内径)調整が出来るように、該円筒形の側面に軸方向に沿った一定幅の波型間隙９ａ、９ｂ、９ｃが形成されている。
なお、前述の様に、第２嵌着部材２ａ、２ｂ、２ｃの形状も上記第１嵌着部材１ａ、１ｂ、１ｃと同様になっている。
【００１６】
図２は、本実施例の利用方法を説明するものである。即ち第１嵌着部材１ａ、１ｂ、１ｃは、それぞれ施術者の左手の薬指、中指、人差指の第１から第２関節の間に嵌められる。また、第２嵌着部材２ａ、２ｂ、２ｃは、それぞれ施術者の右手の人差指、中指、薬指の第１から第２関節の間に嵌められる。なお、これらは左右反対の手の指に嵌められても良い。
そして、施術者は、施術用電圧供給部５の操作ボタンを操作して施術用の電圧を第１嵌着部材１ａ等と第２嵌着部材２ａ等との間に印加し、その上で第１嵌着部材１ａ等及び第２嵌着部材２ａ等を嵌めた各指の指先にイオン導入用のローション等を塗る。この様にしておいて、施術者は、被施術者の顔等の皮膚にハンドマッサージの要領でマッサージを施すことになる。この場合、上記の施術用の電圧により、第１嵌着部材１ａ等、これらが嵌められている施術者の指の指先、その指先が接触している被施術者の皮膚、第２嵌着部材２ａ等が接触している被施術者の皮膚、第２嵌着部材２ａ等という経路で微弱電流が流れてイオン導入が行われる。
【００１７】
また、本実施例は、上記施術用電圧供給部５からの上記印加電圧の極性、波形或いは周波数を切り替える事により、イオン導入だけではなくクレンジング、マッサージ等の美肌トリートメントにも広く利用できる。そして、鼻のわきや瞼の上のように凹凸が複雑で且つ狭い部位の施術をも十分に行える。
【００１８】
なお、本願考案の範囲は、上記実施の形態に限定されず、種々変形応用が可能である。例えば、上記実施の形態では、第１嵌着部材１ａ等及び第２嵌着部材２ａ等は、略円筒形で、該円筒形の側面に軸方向に沿った一定幅の波型間隙が形成されているステンレス製のものであったが、これを上記間隙の無い金属製やその他の導電体製の円筒としても良く、また、金属製やその他の導電体製のリング或いは金属製やその他の導電体製のリングで上記のような間隙付きのものとしても良いことは無論である。
【００１９】
更に、第１嵌着部材１ａ等又は第２嵌着部材２ａ等の何れか一方を、図３の（ａ）に示す従来例等のように、被施術者に接触している（例えば手に握っている）導体製の非施術用電極部材１５に代える方式にしても良い。
【産業上の利用可能性】
【００２０】
本考案は、イオン導入器等の美肌トリートメント用装置の製造に係る産業において利用される可能性が大である。
【図面の簡単な説明】
【００２１】
【図１】本願考案の一実施の形態の構成等を示す図である。
【図２】本願考案の一実施の形態を利用した美肌トリートメントの施術方法を説明するための図である。
【図３】従来例を示す図である。
【符号の説明】
【００２２】
１ａ  第１嵌着部材
１ｂ  第１嵌着部材
１ｃ  第１嵌着部材
２ａ  第２嵌着部材
２ｂ  第２嵌着部材
２ｃ  第２嵌着部材
３  ケーブル
４  ケーブル
５  施術用電圧供給部
１０  ローラ導子
【図１】
0003131119.tif 000003
【図２】
0003131119.tif 000004
【図３】
0003131119.tif 000005